(57)【要約】【課題】  従来の片手でもカットできるロールペーパーホールダーは１周した後のロールペーパーを押さえてカットしていたため、カバー下部にローラーが必要だったり、カッター部に切れやすくするための工夫が必要だった。ペーパーを強く引くとロールが回転しすぎて中でロールが弛んだりしていた。【解決手段】  ロールペーパーホールダーのペーパーカバー（３）は裏側にペーパー押さえ（４）、次にペーパーを引出すためのペーパー取出開口部（５）、その先に次回に使用するペーパーを乗せるペーパー台（６）、先端にペーパーカッター（７）の順となったペーパーカバーを有するロールペーパーホールダーを提供する。ペーパー押さえ（４）は手でロールペーパー（１０）を引き出さない時もロールペーパー（９）の上部を重量で押さえており、又ロールペーパーが細くなってもロールの上部を押さえているようにペーパーカバー（３）の下側に突出させる。【選択図】図５
2010110609.tif 000002
【特許請求の範囲】
【請求項１】
ペーパーカバーの裏側に突き出したペーパー押さえの先端部がロールペーパーの太い状態から細い状態までロールペーパーの上部に乗っているようにしたペーパー押さえを有し、その先にペーパーを引出すためのペーパー取出開口部、その先に次回に使用するペーパーを乗せるペーパー台、先端にペーパーカッターの順に設けたペーパーカバーを有するロールペーパーホールダー。
【請求項２】
ペーパー押さえがロールペーパーを押さえる位置とカットするロールペーパーまでの間のペーパーの全長がロールペーパーの半周以下で、且つペーパーを乗せるペーパー台の位置のほうがペーパー押さえより低い位置にあるペーパーカバーを有する請求項１のロールペーパーホールダー
【請求項３】
請求項１のロールペーパーホールダーを水平線と底板とのなす角度が３０度から６０度の間に立てて置いたロールペーパーホールダー。
【請求項４】
請求項３のロールペーパーホールダーをケースで囲み、前方又は後方の開閉口でロールペーパーの交換を可能とし、上部のペーパー取出し部のみをケース外に出したロールペーパーホールダー。
【発明の詳細な説明】
【技術分野】
【０００１】  本発明は、トイレットペーパーのようなロール状のペーパーが片手でも切断し易く、又次回の使用に対して取り易くしたロールペーパーホールダーに関する。
【背景技術】
【０００２】従来の片手でペーパーをカットできるペーパーホールダーはカバーの開口部がペーパー押さえ部より後方に有り、ペーパーを押さえる位置から１周した後のペーパーを取り出してカットしている。この為カバーの下部にローラーが必要だったり、ペーパーを切る際にペーパーが伸びたり、カットの線が曲がったりするのを防止するために歯部を鋭利にしたり、上向きにする必要があった。構造も複雑になっていた。又ペーパーを引き出すときにペーパーを強く引きすぎるとロールが回転しすぎて、内部でペーパーがたるんだり、次回にその分が過剰に出すぎたりする問題点があった。ペーパーを押さえる位置より、ペーパーを置いておく台の方が高い位置にあるため、ペーパーがホルダー内に巻き戻ってしまうことがあった。
【特許文献１】  特開２００７−４４４０４  公報
【特許文献２】  実用新案  第３０２３４７９号
【特許文献３】  特開２０００−３２５２５６  公報
【特許文献３】  特開２００３−２６０００７  公報
【発明の開示】
【発明が解決しようとする課題】
【０００３】ロールペーパーの引出しの際にはロールペーパーの過剰回転が発生しにくく、ペーパーの切断時はペーパー押さえによりペーパーが強く押さえられてミシン目の無い所でも切断でき、次回の使用のためのロールペーパーが取り易く、逆回転が発生しにくいロールペーパーホールダーを提供する。
【課題を解決するための手段】
【０００４】  上記を解決するために、次の手段を行う。ロールペーパーホールダーのペーパーカバー（３）は裏側にペーパー押さえ（４）、次にペーパーを引出すためのペーパー取出開口部（５）、その先に次回に使用するペーパーを乗せるペーパー台（６）、先端にペーパーカッター（７）の順となったペーパーカバーを有するロールペーパーホールダーを提供する。ペーパー押さえ（４）は手でロールペーパー（１０）を引き出さない時もロールペーパー（９）の上部を重量で押さえており、又ロールペーパーが細くなってもロールの上部を押さえているようにペーパーカバー（３）の下側に突出させる。
【発明の効果】
【０００５】  図１、図５においてペーパー押さえ（４）で押さえるペーパー位置とペーパーカッター（７）で切るペーパーの間のペーパー長さが１周していないため従来より短くなったこと及び、ペーパー押さえ（４）に加わる力がペーパーカバー（３）の重量とペーパーを切るときの下向きの力が合わさるため、ペーパーの切断がより容易で、鋭い歯や上向きの歯が不要になり、安全性も向上した。又、ロールペーパー（１０）を引き出すときには常に未使用時からペーパーカバーの重量がペーパー押さえの先端に掛かっているため、強く引出してもロールペーパー（９）の空回りによる過剰回転が起こりにくい。ペーパー押さえ（４）により安定したペーパーの切断とロールペーパーの過剰回転防止の両方の機能が向上した。構造が簡単でペーパーカバー（３）を軽量に出来るためペーパーの取り出し時にペーパーカバー（３）を持ち上げるのが容易である。又次回の使用に対してペーパー（１０）がペーパー台（６）上に乗っているために取り易くなった。
【発明を実施するための最良の形態】
【０００６】  本発明の実施形態を説明する。図３においてペーパーカバー（３）は裏側に設置されたペーパー押さえ（４）、ペーパー取出開口部（５）、ペーパー台（６）、及び先端のペーパーカッター（７）の順に構成される。ペーパー押さえ（４）はペーパーカバー（３）の裏側に突出しており、未使用時及びロールが太い状態から細い状態でもロールペーパー（９）の上部をペーパー押さえ（４）の先端がペーパーカバー（３）の重量で押している。ペーパーカバー（３）は上下に回動可能である。ペーパー取出し開口部（５）は初期にペーパーをセットする際に、取り出しやすい大きさに開口する。ペーパー台（６）は次回に取るときに取りやすく、且つ逆回転が発生しないようにペーパー押さえより低い位置になるよう前方に少し傾斜させるか湾曲させる。ペーパーカッター（７）はプラスチック製で山形鋸状の歯を有しているが、手を触れても怪我しない形状と材質で構成する。
使用の初期にロールペーパー（１０）は手でペーパー取出開口部（５）の後ろ側から前方に通してセットする。図４においてロールペーパー（１０）を引出す時はペーパー台（６）上のロール紙（１０）を摘み図４の矢印方向に少し上向きに引出して、ペーパーカバー（３）を持ち上げた状態でロールペーパー（１０）を引出す。ロールペーパー（１０）には常時ペーパーカバー（３）の重量が掛かっていること及びペーパー押さえ先端の摩擦により過剰回転を防止できる。ペーパーカバー（３）は軽量なため引出し易い。
図５においてロールペーパー（１０）を切る時はロールペーパー（１０）を図５の矢印方向に下向きに引き、ペーパーカッター（７）で切断する。切断時にペーパーカッター（７）のＣ点に掛かる下向きの力は（図１にＡ，Ｂ，Ｃ点を記載）ペーパーカバー（３）の基部Ａ点が支点となりペーパー押さえ（４）のＢ点に下向きの力となってローペーパー（９）を固定するためてこの原理で片手でミシン目の無い所でも切断できる。ペーパー押さえ（４）はＡ点に近いほうが同じ下向きの切断時の荷重でも、ストロークは長くなるがより強くＢ点に掛かるためより小さい力でロールペーパー（９）を固定できて切り易い。ペーパー押さえ（４）の形状は鋭角なほどロールペーパー（１０）を固定しやすく、摩擦が少ないほど引出しやすい。切った後のロールペーパー（１０）の端末はペーパー押さえ（４）より低い位置でペーパー台（６）上に乗っている為に逆回転が防止され次回の使用時に容易に取ることが出来る。【０００７】図６はロールペーパーホールダーを３０度から６０度に斜めに立てて置き、取出し部を上方向としたものである。図７はこれをケース（１２）に入れ、ペーパー取出し部（１１）をケース外にして、ロールペーパー（１０）を取り易くし、且つ、トイレ以外でも気兼ねなく使えるように出来る。ペーパーは切り取った後も、ケース上部に出ているため、次回の使用に際し、横方向又は下方に引けば片手でもカットすることが出来る。
【図面の簡単な説明】
【０００８】
【図１】ロールペーパーホールダー側面図
【図２】ロールペーパーが細い場合のホールダー側面図
【図３】ペーパーカバー先端部斜視図
【図４】ペーパーを引き出す時の斜視図
【図５】ペーパーを切る時の斜視図
【図６】ロールペーパーホールダーを斜めに立てた断面図
【図７】斜めに立てたロールペーパーホールダーをケースに入れた斜視図
【符号の説明】
【０００９】１  支持板                          ２  支持軸
３  ペーパーカバー                  ４  ペーパー押さえ
５  ペーパー取出開口部              ６  ペーパー台
７  ペーパーカッター                ８  底板
９  ロール紙（ペーパー押さえ以前）  １０  ロール紙（ペーパー押さえ以降）
１１  ペーパー取出し部              １２  ケース
【図１】
2010110609.tif 000003
【図２】
2010110609.tif 000004
【図３】
2010110609.tif 000005
【図４】
2010110609.tif 000006
【図５】
2010110609.tif 000007
【図６】
2010110609.tif 000008
【図７】
2010110609.tif 000009